(57)【特許請求の範囲】
【請求項１】
開口部が互いに対向する平面視ほぼコ字状をなす１対の支柱の外側面に、側板の両側端に形成されたコ字状の折り返し片の遊片を、少なくとも一方の遊片が支柱より内方に突出して内向き突片を形成するようにして当接して固着し、前記側板の内面を覆う裏板の一方の側端部に形成した平面視外向きコ字状の係合部を、前記支柱の側片もしくは側板の折り返し片の遊片、またはそれらの両方に係合し、かつ前記裏板の他方の側端部を、前記内向き突片に固着したことを特徴とする棚における側板と裏板との取付け構造。
【請求項２】
裏板の係合部の一片を、支柱の外側面と側板の折り返し片の遊片との間に挟み込んで、側板を支柱に固着した請求項１記載の棚における側板と裏板との取付け構造。
【請求項３】
開口部が互いに対向する平面視ほぼコ字状をなす１対の支柱の外側面に、側板の両側端に形成されたコ字状の折り返し片の遊片を、各遊片が支柱より内方に突出して内向き突片を形成するようにして当接して固着し、前記側板の内面を覆う１対の裏板の各内側端部に形成した平面視内向きコ字状の係合部を、前記両支柱間に配設された中間支柱より前記各支柱に向かって延出する側片に係合し、かつ前記各裏板の外側端部を、前記内向き突片に固着したことを特徴とする棚における側板と裏板との取付け構造。
【請求項４】
棚を、左右１対ずつの支柱の上下部を、連結杆をもって前後、及び左右に連結し、左右の支柱間に棚板を架設するとともに、底部に設けた車輪により、床面に敷設したレールに沿って、前後方向または左右方向に移動しうるようにした移動棚とし、側部における前後に対向する支柱の外側面に側板を、かつその内側に裏板を設けた請求項１〜３のいずれかに記載の棚における側板と裏板との取付け構造。
【請求項５】
棚を固定棚とし、その側部に配設された前後に対向する支柱の外側面に側板を、かつその内側に裏板を設けた請求項１〜３のいずれかに記載の棚における側板と裏板との取付け構造。
【発明の詳細な説明】
【０００１】
【発明の属する技術分野】
本発明は、書籍その他の物品を収容する棚において、１対の支柱間に、化粧用の側板と、その内側を覆う裏板とを取付ける取付構造に関する。
【０００２】
【従来の技術】
従来の移動棚には、前後または左右の１対の支柱の外側面に、側板の両側端に形成されたコ字状の折り返し片の遊片をねじ止めし、かつ側板の内面を覆う裏板の両側端部を、側板の側片または支柱にねじ止めし、側板と裏板との間に、走行用車輪と操作ハンドルとを連係する連係機構や安全装置その他を収容するようにしたものがある。
【０００３】
【発明が解決しようとする課題】
上述のような従来の構造では、ねじ止め箇所が多いため、側板及び裏板の着脱作業が繁雑であり、上述の連係機構や安全装置等の点検及び修理等の都度、側板や裏板の着脱に手間がかかるという問題がある。
【０００４】
本発明は、上述のような問題点に鑑み、裏板の着脱作業が容易で、しかも構造が簡単であり、裏板を強固に支持し得るようにした棚における側板と裏板との取付け構造を提供することを目的としている。
【０００５】
【課題を解決するための手段】
本発明によると、上記課題は、次のようにして解決される。
（１）開口部が互いに対向する平面視ほぼコ字状をなす１対の支柱の外側面に、側板の両側端に形成されたコ字状の折り返し片の遊片を、少なくとも一方の遊片が支柱より内方に突出して内向き突片を形成するようにして当接して固着し、前記側板の内面を覆う裏板の一方の側端部に形成した平面視外向きコ字状の係合部を、前記支柱の側片もしくは側板の折り返し片の遊片、またはそれらの両方に係合し、かつ前記裏板の他方の側端部を、前記内向き突片に固着する。
【０００６】
（２）上記(１)項において、裏板の係合部の一片を、支柱の外側面と側板の折り返し片の遊片との間に挟み込んで、側板を支柱に固着する。
【０００７】
（３）開口部が互いに対向する平面視ほぼコ字状をなす１対の支柱の外側面に、側板の両側端に形成されたコ字状の折り返し片の遊片を、各遊片が支柱より内方に突出して内向き突片を形成するようにして当接して固着し、前記側板の内面を覆う１対の裏板の各内側端部に形成した平面視内向きコ字状の係合部を、前記両支柱間に配設された中間支柱より前記各支柱に向かって延出する側片に係合し、かつ前記各裏板の外側端部を、前記内向き突片に固着する。
【０００８】
（４）上記(１)〜(３)項のいずれかにおいて、棚を、左右１対ずつの支柱の上下部を、連結杆をもって前後、及び左右に連結し、左右の支柱間に棚板を架設するとともに、底部に設けた車輪により、床面に敷設したレールに沿って、前後方向または左右方向に移動しうるようにした移動棚とし、側部における前後に対向する支柱の外側面に側板を、かつその内側に裏板を設ける。
【０００９】
（５）上記(１)〜(３)項のいずれかにおいて、棚を固定棚とし、その側部に配設された前後に対向する支柱の外側面に側板を、かつその内側に裏板を設ける。
【００１０】
【発明の実施の形態】
以下、本発明の一実施形態を、添付図面を参照して説明する。
図１は、本発明の一実施形態を備える移動棚装置の外観斜視図である。
この移動棚装置は、１個の固定棚(１)と、それぞれが回転操作ハンドル(Ｈ)を有する３個の移動棚(２)(３)(４)とを備えている。
【００１１】
固定棚(１)は、部屋の壁(５)等の前面に近接して配設され、３個の移動棚(２)(３)(４)は、その底部に設けた車輪(図示略)が、固定棚(１)の前面から前方に向かって床(６)上に敷設された左右１対のレール(７)上を走行することにより、前後方向に移動しうるようになっている。
【００１２】
固定棚(１)は、書籍等の物品を前面のみから出し入れできるようにした単式のものであり、２個の移動棚(２)(３)は、単式の固定棚(１)の前後方向の奥行きのほぼ２倍の前後方向の奥行きを有し、前後いずれの面からも書籍等の物品を出し入れできる複式のものとしてある。移動棚(４)は、書籍等の物品を後面のみから出し入れできるようにした単式のものとしてある。
【００１３】
単式の固定棚(１)と移動棚(４)との基本構造は同一であり、図２に示すように、両側部と中間部とに配設した前後１対ずつの支柱(８)(９)の上下部を、前後方向を向く連結杆(10)及び左右方向を向く連結杆(11)等をもって前後、及び左右に連結してフレーム(12)を形成し、左右の支柱(８)(９)間に、着脱可能なブラケット(13)を介して、棚板(14)を架設したものよりなっている。
なお、棚板(14)の支持構造は、本発明には直接関係せず、また公知の構成でよいので、詳細な説明は省略する。
【００１４】
図１及び図２に示すように、固定棚(１)のフレーム(12)の上面と後面とには、天板(15)と後面板(16)とが固着され、移動棚(４)のフレーム(12)の上面と前面とには、天板(15)と前面板(17)とが固着されている。
【００１５】
図１及び図３に示すように、複式の移動棚(２)(３)の基本構造は、前後の支柱(８)(９)の間隔を、単式の固定棚(１)及び移動棚(４)の約２倍とし、その中間に、前後外向きコ字状をなす２個の支柱(18)(19)を背中合わせとして固着した中間支柱(20)を配設した点が異なるだけで、その他の構造は上述の単式の固定棚(１)及び移動棚(４)の基本構造と同一である。
【００１６】
図２及び図３に示すように、固定棚(１)及び移動棚(２)(３)(４)の両側部における前後の支柱(８)(９)は、開口部が互いに対向する平面視ほぼコ字状をなし、それらの左右の側片(８a)(８a)(９a)(９a)の先端部には、互いに内方を向く内向き突片(８b)(８b)(９b)(９b)が形成されている。
【００１７】
図２に示すように、固定棚(１)及び移動棚(４)の両側部における前後の支柱(８)(９)の外側面には、側板(21)の前後の側端に形成されたコ字状の折り返し片(22)(23)の遊片(22a)(23a)が当接され、止めねじ(24)をもって固着されている。(25)は、各支柱(８)(９)の内側の側片(８a)(９a)に穿設された、止めねじ(24)の着脱作業用の作業孔である。
【００１８】
前部の遊片(22a)の前後長は、前部の支柱(８)の側片(８a)の前後長とほぼ同一としてあるが、後部の遊片(23a)の前後長は、後部の支柱(９)の側片(９a)の前後長より大としてあり、支柱(９)への固着後に、後部の遊片(23a)の前端部が、支柱(９)より前方に突出して、内向き突片(26)を形成するようにしてある。
【００１９】
側板(21)の内面を覆う薄い金属板よりなる裏板(27)の前端部には、平面視外向きコ字状の係合部(28)が、プレス加工により形成されている。係合部(28)の左右方向の間隔は、側板(21)の前部の遊片(22a)の板厚と、前部の支柱(８)の内向き突片(８b)の左右方向の長さとの和とほぼ等しくしてある。
【００２０】
裏板(27)は、その前部の係合部(28)を、側板(21)の前部の遊片(22a)と、前部の支柱(８)の外側の側片(８a)との重合部分に係合し、かつ後部を、内向き突片(26)の内面に重合して、その重合部分を止めねじ(29)により固着することにより、片側をねじ止めするだけで簡単に支柱(８)(９)に取付けることができる。
【００２１】
なお、図４に示す変形例のように、側板(21)の前部のコ字状の折り返し片(22)の遊片(22a)を、後部の折り返し片(23)の遊片(23a)と同様に、前部の支柱(８)の側片(８a)の前後長より大とし、支柱(８)への固着後に、遊片(22a)の後部が支柱(８)より後方に突出して、内向き突片(30)を形成するようにし、この内向き突片(30)のみに、裏板(27)の係合部(28)を係合させてもよい。
【００２２】
また、図５に示す別の変形例のように、裏板(27)の係合部(28)を、前部の支柱(８)の外側の側片(８a)のみに係合し、その係合部(28)の外側の片を、前部の支柱(８)の外側の側片(８a)と側板(21)の前部のコ字状の折り返し片(22)の遊片(22a)との間に挟み込んでもよい。
このようにすると、側板(21)の前部を前部の支柱(８)に取り付けるための止めねじ(24)の締め付けにより、裏板(27)の前部も支柱(８)に強固に締め付けられるので好都合である。
なお、図５においては、裏板(27)の板厚を誇張して厚く記載してあるため、前部の支柱(８)の外側の側片(８a)と側板(21)の前部のコ字状の折り返し片(22)の遊片(22a)との間隙が大となっているが、実際には、裏板(27)は薄板を用いるため、このような間隙はほとんど目立つことはない。
【００２３】
図３に示すように、複式の移動棚(２)(３)の両側部における前後の支柱(８)(９)の外側面には、単式用の上記側板(21)の２倍の前後方向の幅を有する側板(31)の前後の側端に形成されたコ字状の折り返し片(32)(33)の遊片(32a)(33a)が当接され、止めねじ(24)をもって固着されている。
【００２４】
前後の遊片(32a)(33a)の前後長は、前後の支柱(８)(９)の側片(８a)(９a)の前後長より大としてあり、支柱(８)(９)への固着後に、前後の遊片(32a)(33a)が、支柱(９)より互いに内方に突出して、内向き突片(34)を形成するようにしてある。
【００２５】
側板(31)の内面には、薄い金属板よりなる前後１対の裏板(35)(36)が配設されている。
前部の裏板(35)の後端、及び後部の裏板(36)の前端には、中間支柱(20)より前後の支柱(８)(９)に向かって延出する外側の側片(18a)(19a)に係合する平面視内向きコ字状の係合部(37)(38)が形成されている。
【００２６】
しかして、複式の移動棚(２)(３)においては、前後の裏板(35)(36)における互いに近接する端部に形成された各係合部(37)(38)を、中間支柱(20)より前後方向に延出する外側の側片(18a)(19a)に係合させた状態で、前後の裏板(35)(36)の互いに前後に離間した方の端部を、内向き突片(34)の内面に重合して、その重合部分を止めねじ(29)により固着することにより、各裏板(35)(36)を、それぞれ片側をねじ止めするだけで簡単に支柱(８)(９)及び中間支柱(20)に取付けることができる。
【００２７】
なお、移動棚(２)(３)(４)においては、側板(21)(31)の外側に回転操作ハンドル(Ｈ)が装着され、また側板(21)(31)と裏板(27)(35)(36)との間には、回転操作ハンドル(Ｈ)と走行用車輪とを連係する連係機構や安全装置等が収容されているが、図３においては、それらの図示を省略してある。
【００２８】
【発明の効果】
本発明によると、次のような効果を奏することができる。
(１)  請求項１記載の発明によると、側板の両側端を１対の支柱に取り付けた後、裏板の片側を、前後いずれかの支柱またはそれに取り付けられた側板の折り返し片の遊片に係合させ、裏板のもう一方の側端部のみをねじ止めするだけで、側板と裏板とを、支柱に簡単かつ確実に、取り付けることができるので、裏板のねじ止め作業が従来のものより半減し、組立工数を少なくすることができる。
したがって、側板と裏板との間に、走行用車輪と操作ハンドル等とを連係する連係機構や安全装置その他を収容し、その点検及び修理等を頻繁に行わなければならない移動棚等に適用すると、有意義である。
また、裏板の一方の側端部に、平面視外向きコ字状の係合部を設けたことにより、裏板の強度が増大する。
【００２９】
(２)  請求項２記載の発明によると、支柱への側板の折り返し片の取り付け時に、裏板の係合部の一片が、支柱の外側面と側板の折り返し片の遊片との間に挟み込まれるので、裏板の支持強度がさらに増加し、好都合である。
【００３０】
(３)  請求項３記載の発明によると、両側方から書籍等の物品を出し入れするようにした複式の移動棚に適用した場合に、構造をより簡素化できるとともに、上記の(１)及び(２)の効果を効率よく発揮することができる。
【００３１】
(４)  請求項４記載の発明のように、移動棚において好適に実施できるとともに、請求項５記載の発明のように、固定棚にも適用することができ、そのいずれの場合においても、上記(１)〜(３)の効果を十分に発揮することができる。
【図面の簡単な説明】
【図１】本発明の一実施形態を備える移動棚装置の外観斜視図である。
【図２】同じく、固定棚の拡大横断平面図である。
【図３】同じく、複式の移動棚の拡大横断平面図である。
【図４】同じく、変形例における要部の拡大横断平面図である。
【図５】同じく、別の変形例における要部の拡大横断平面図である。
【符号の説明】
(１)固定棚
(２)(３)(４)移動棚
(５)壁
(６)床
(７)レール
(８)(９)支柱
(８a)(８a)(９a)(９a)側片
(８b)(８b)(９b)(９b)突片
(10)連結杆
(11)連結杆
(12)フレーム
(13)ブラケット
(14)棚板
(15)天板
(16)後面板
(17)前面板
(18)(19)支柱
(20)中間支柱
(21)側板
(22)(23)折り返し片
(22a)(23a)遊片
(24)止めねじ
(25)作業孔
(26)内向き突片
(27)裏板
(28)係合部
(29)止めねじ
(30)内向き突片
(31)側板
(32)(33)折り返し片
(32a)(33a)遊片
(34)内向き突片
(35)(36)裏板
(37)(38)係合部
(Ｈ)回転操作ハンドル
【図１】
0004395234.tif 000002
【図２】
0004395234.tif 000003
【図３】
0004395234.tif 000004
【図４】
0004395234.tif 000005
【図５】
0004395234.tif 000006